(57)【特許請求の範囲】
【請求項１】
現場打ちコンクリートまたはプレキャスト柱部材からなる柱とプレキャスト梁部材からなる梁とをプレストレスを利用したＰＣ圧着接合法により圧着接合し、その圧着接合部に接合部の離間変形を利用して振動エネルギーを吸収するダンパーを設置してなり、前記圧着接合部にダボ筋と接合部の離間変形を拡大させる剛部材を介して鋼製ダンパー、オイルダンパーまたは鋼棒ダンパーを設置してなることを特徴とするＰＣ架構の振動減衰構造。
【請求項２】
現場打ちコンクリートまたはプレキャスト柱部材からなる柱とプレキャスト梁部材からなる梁とをプレストレスを利用したＰＣ圧着接合法により圧着接合し、その圧着接合部に接合部の離間変形を利用して振動エネルギーを吸収するダンパーを設置してなり、前記柱と梁をアンボンドＰＣ工法によって圧着接合し、前記圧着接合部の離間変形が大きい場合にはそれが過大とならないようにアンボンド区間長をある範囲に限定し、前記圧着接合部にダボ筋と接合部の離間変形を拡大させる剛部材を介して鋼製ダンパー、オイルダンパーまたは鋼棒ダンパーを設置してなることを特徴とするＰＣ架構の振動減衰構造。
【発明の詳細な説明】
【０００１】
【発明の属する技術分野】
この発明は、現場打ちコンクリートまたはプレキャスト鉄筋コンクリート（以下「ＰＣａＲＣ」という）構造の柱、またはプレキャストプレストレストコンクリート（以下「ＰＣａＰＣ」という）構造の柱とＰＣａＰＣ構造の梁とで構成されるＰＣ架構の振動減衰構造に関し、柱と梁との接合部を貫通するＰＣ鋼材がポストンテンション工法によって緊張定着された柱と梁との圧着接合部に、減衰装置として鋼製ダンパーやオイルダンパー等を設置してなるものである。
【０００２】
【従来の技術】
構造物の架構として、これまでＰＣａＲＣ構造またはＰＣａＰＣ構造の柱と梁を、ＰＣ鋼材や高力ボルトなどの緊張鋼材で接合すると同時に接合部に所定量のプレストレスを導入するＰＣ圧着工法で接合して構築されるＰＣ圧着架構が知られている。
【０００３】
従来のＰＣ圧着架構は一般に、耐震要素として骨組の他に壁も配置されたラーメン架構（「剛接骨組」以下同じ）として構築され、また必要に応じて地震時の構造物の振動エネルギーを吸収する減衰装置として、様々な制震装置や制震技術が設置されている。
【０００４】
ところで、ＰＣ圧着架構そのものの地震時の挙動は、特に柱と梁との圧着接合部においては、接合部に作用する曲げモーメントによって梁端部の引っ張り側面と柱側面部との圧着接合面が互いに離れるような離間変形を起こすが、振動が納まると元の状態にもどる弾性挙動を示す。
【０００５】
したがって、ＰＣ圧着架構では、部材の塑性変形に伴う振動エネルギーの吸収がきわめて小さいために、地震後の残留変形が小さいものの地震時の架構変形は大きいという特徴があり、このことが、従来高層ＰＣ圧着架構を実用化するうえで問題点になっていた。
【０００６】
一方、各種の制震装置や制震技術は、構造物の各階での層間変形や柱、梁、壁などの部材間の変形差を利用して、鋼材の塑性変形を利用した塑性ダンパーや粘性体の粘性抵抗を利用したオイルダンパー等によって地震時の振動エネルギーを吸収するものであった。
【０００７】
このうち、建物の各階での層間変形を利用した装置としては、例えば図６（ａ）に図示するように建物のある階の高さ方向の中間部付近に鋼製ダンパーを設置したものが知られている。
【０００８】
この例では、上階と当該階に剛性の高い部材（以下、「剛部材」という）３０と３１がそれぞれ配置され、この剛部材３０と３１間に鋼製ダンパー３２が設置されている。そして、建物に揺れが発生すると、当該階とその上階に変形差が生じ、その変形差はほとんど変形しない剛部材３０と３１を介して鋼製ダンパー３２に集約され、この鋼製ダンパー３２が塑性変形することで、建物の振動エネルギーが吸収される構成になっている。
【０００９】
また、部材間の変形を利用した装置としては、例えば図６（ｂ）に図示するように梁３３，３３の中央部付近に鋼製ダンパー３２を設置したものが知られている。この例では、梁３３，３３の一端側が柱３４にそれぞれ接合され、他端側が鋼製ダンパー３２を介して互いに接合されている。
【００１０】
そして、建物に揺れが発生すると、柱３４と梁３３との接合部が回転することにより鋼製ダンパー３２で接合された側の梁端部に上下方向の変形が生じる。その結果、前例と同様に鋼製ダンパー３２が塑性変形することで建物の振動エネルギーが吸収される構成になっている。
【００１１】
また、上述した２例において、鋼製ダンパー３２を粘性体を用いたオイルダンパー等（図省略）に置き換えたものも知られている。
さらに、従来のＰＣ圧着工法は、ボンドＰＣを利用したものに限られ、アンボンドＰＣを利用したものは、一般的に採用されることはなかった。
【００１２】
【発明が解決しようとする課題】
これまでのＰＣ圧着架構は、第一に地震時に大変形した際、弾性的復元性が大きく残留変形は小さいが、一方で架構の変形履歴によるエネルギー吸収能力が乏しいという課題があった。
【００１３】
第二に、減衰装置を設置する場合、建物に悪影響を及ぼす建物のねじれ変形などができるだけ生じないようにする必要から設置場所の選定がきわめて重要となる。また、従来の減衰装置の多くは、設置部の周囲に大きな空間を設ける必要があるため、時として建築計画の面から設置場所に平面的、立面的に大きな制約を受ける等の課題があった。
【００１４】
さらに第三に、減衰装置に導入する架構各部の変形差として、従来の方法では層間変形などを直接利用していたが、減衰装置に導入する変形差を減衰装置とその効果に対して最適化するように制御することは特に行われていなかった。
【００１５】
そして第四に、ＰＣ圧着架構では、一般的にボンドＰＣが用いられており、アンボンドＰＣ圧着では遅れ破壊による万一のＰＣ鋼材の破断に際し、梁部材が脱落したり回転したりする危険性があり、安全面で課題があった。
【００１６】
この発明は、以上の課題を解決するためになされたもので、特に地震時の振動エネルギー吸収能力がきわめて大きく、振動エネルギーをきわめて効率的に吸収できるようにしたＰＣ架構の振動減衰構造を提供することを目的とする。
【００１７】
請求項１に係るＰＣ架構の振動減衰構造は、現場打ちコンクリートまたはプレキャスト柱部材からなる柱とプレキャスト梁部材からなる梁とをプレストレスを利用したＰＣ圧着接合法により圧着接合し、その圧着接合部に接合部の離間変形を利用して振動エネルギーを吸収するダンパーを設置してなり、前記圧着接合部にダボ筋と接合部の離間変形を拡大させる剛部材を介して鋼製ダンパー、オイルダンパーまたは鋼棒ダンパーを設置してなることを特徴とするものである。
【００１８】
この場合、柱と梁はボンドＰＣ工法によって圧着接合され、ＰＣ鋼材を介して導入されたプレストレスによる圧着力によって柱と梁との接合部における応力の伝達がなされる。
【００１９】
ＰＣ鋼材としては、例えばＰＣ鋼より線またはＰＣ鋼棒などを使用し、柱と梁との接合部にポストテンション工法によってプレストレスを導入してよい。
このように構成されたＰＣ架構の振動減衰構造は、ＲＣ構造とは異なった挙動を示し、建物に地震荷重のような繰り返し荷重が作用すると、柱と梁との圧着接合部に接合面が曲げ回転により互いに離れるような離間変形を生ずる。そして、この離間変形が剛部材によって拡大されてダンパーに伝えられ、この離間変形によってダンパーがきわめて効率的に作動することで地震時の振動エネルギーが吸収される。
【００２０】
請求項２に係るＰＣ架構の振動減衰構造は、現場打ちコンクリートまたはプレキャスト柱部材からなる柱とプレキャスト梁部材からなる梁とをプレストレスを利用したＰＣ圧着接合法により圧着接合し、その圧着接合部に接合部の離間変形を利用して振動エネルギーを吸収するダンパーを設置してなり、前記柱と梁をアンボンドＰＣ工法によって圧着接合し、前記圧着接合部の離間変形が大きい場合にはそれが過大とならないようにアンボンド区間長をある範囲に限定し、前記圧着接合部にダボ筋と接合部の離間変形を拡大させる剛部材を介して鋼製ダンパー、オイルダンパーまたは鋼棒ダンパーを設置してなることを特徴とするものである。
【００２１】
剛部材の突出長さを長くすることで、圧着接合部の離間変形量を拡大することによりダンパーに十分な変形量を与えることが出来る。また、剛部材の突出長さを変えることでダンパーへの導入変形量を自由にコントロールすることができる。
【００２３】
この場合においても、ＰＣ鋼材としては、例えばＰＣ鋼より線またはＰＣ鋼棒などを使用し、接合部にはポストテンション工法によってプレストレスを導入する。
【００２４】
また、ＰＣ鋼材は防錆処置が必要であり、このため予め柱と梁内に配置したシース内にＰＣ鋼材を挿通し、ＰＣ鋼材を緊張した後シース内にグラウト材を充填するグラウト工法と、ＰＣ鋼材の周囲に防錆グリースとそのカバーを持つ、アンボンド鋼材などを同様にシース内に挿通し、緊張するアンボンド工法を採用するのがよい。
【００２５】
また、梁の接合部および梁の全長をアンボンド構造とする場合と、梁端部域のある区間に限ってアンボンド構造とする場合とがあり、後者の場合は、圧着接合部の離間変形がアンボンドＰＣ鋼材の一様な伸びに起因して過大なものとはならず、またダンパーが有効に作用するための十分な変形量を得るために、圧着接合面から梁端部域の有効長の区間に限りアンボンドＰＣ構造になっている。
【００２６】
このように構成されたＰＣ架構の振動減衰構造は、ＲＣ構造とは異なった挙動を示し、建物に地震荷重のような繰り返し荷重が作用する場合においては、柱と梁との圧着接合部に曲げ回転により、接合面が互いに離れるような離間変形が生ずる。そして、この離間変形によってダンパーが作動することで地震時の振動エネルギーが吸収される。
【００２７】
また、圧着接合にアンボンド工法を用いることで、ダンパーに十分な変形量を与えることができるが、アンボンド区間の範囲長さを変えることでダンパーへの導入変形量を過大とならずに自由にコントロールすることができる。
【００３０】
ここで粘弾性ダンパーは、流体のように流動性をもち、粘性抵抗により変形速度に比例した力を発揮する特徴とバネのような弾性的な性質をもち、変形に比例した力を発揮する特徴を併せもった力学的な挙動を示す高分子材料の総称である。
【００３１】
粘弾性ダンパーは、変形の速度が遅い場合には、粘性抵抗が少なくバネのような挙動を示し、速い場合には粘性抵抗が大きくなり大きな反力を発生するダンパー効果がある。
【００３２】
また、鋼製ダンパーは、ある一定の力が作用すると、そのときの応力を保ったまま塑性変形するが、力を除去すると大きな残留変形が残る。この変形を元に戻すためには、逆向きの力の作用が必要であり、このことにより地震動のような繰り返し荷重による振動エネルギーを吸収でき、ダンパーとしての効果が得られる。
【００３４】
この場合のダボ部材は、例えば柱と梁との圧着接合部に水平に斜めに配置するタイプと、梁断面上のスラブ内に水平に配置するタイプとがある。また、ダボ部材として、例えばダボ筋を柱と梁とを圧着接合した後に配置し、モルタルグラウトにより柱および梁と一体化させる。このダボ部材が設置されていることで、アンボンドＰＣ鋼材が万一破断したとしても、梁の脱落・回転を未然に防ぐことができる。
【００３５】
【作用】
ＰＣａＰＣ架構の建物に地震荷重のような繰り返し荷重が作用した場合に、離間変形が生ずる梁面と柱面をダンパーを介して接続すると、ダンパーで振動エネルギーを吸収するため、架構の変形履歴によるエネルギー吸収能力が高まる。
【００３６】
これにより、建物に作用する力が小さくなり建物の振動時の変位等が小さくなる。また、本発明のダンパー部材は比較的小さく、設置する場所も梁端部の下面部、あるいは上面部と柱の側面部であるため、天井内などの内装仕上げ材の内部で設置が可能である。
【００３７】
また、直天仕上げとしてそれらを露出させても意匠上問題がない等、建築計画上の配置箇所の制約をほとんど受けないだけでなく、経済面では建物の要求性能により、最適な数を分散配置することが可能であるため、経済的な設計が可能である。
【００３８】
また、ダンパーへの導入変形量は、梁と柱との接合部の離間変形に基づいており、これをボンドＰＣの場合には拡大利用することで、またアンボンドＰＣの場合には、アンボンド区間長を調節することで、ダンピングの最適化を行うための、ダンパー導入変形量のコントロールが可能となる。
【００３９】
さらに、アンボンドＰＣの場合においては、圧着接合部を貫通するダボ部材によって、ＰＣ鋼材の遅れ破壊による万一の破断に際しても、床を支える梁の脱落・回転などを防止することができるため、安全性を高めることができる。
【００４０】
【発明の実施の形態】
発明の実施の形態１．
図１（ａ）〜（ｅ）は、この発明に係るＰＣ架構の振動減衰構造の一例を示し、図において、現場打ちコンクリートまたはＰＣａ柱部材からなる柱１の梁接合部の両側に、ＰＣａ梁部材からなる梁２が複数のＰＣ鋼材３を使用し、プレストレスを利用したＰＣ圧着接合法によって接合されている。
【００４１】
この場合のＰＣ鋼材３は、柱１の梁接合部を水平に貫通し、かつ両側の梁２にその軸方向に連続して挿通され、このＰＣ鋼材３を緊張・定着することで梁２および柱１と梁２との接合面に所定量のプレストレスが導入されている。
【００４２】
また、接合部における柱１の側面部に剛部材としてダブルＴ形鋼４が、梁２の下面部に剛部材としてＴ形鋼５がそれぞれ突設され、かつダブルＴ形鋼４のウェブ４ａ，４ａ間にＴ形鋼５のウェブ５ａが挿入されている。さらに、各ウェブ４ａと５ａ間には一定の隙間６が設けられ、この隙間６にダンパーとして粘弾性体７が貼付されている。
【００４３】
ダブルＴ形鋼４はフランジ４ｂの一側に２枚のウェブ４ａを平行に突設して形成され、Ｔ形鋼５はフランジ５ｂの一側に一枚のウェブ５ａを突設して形成されている。なお、ダブルＴ形鋼４のウェブ４ａは３枚以上、またこれに合わせてＴ形鋼５のウェブ５ａは２枚以上突設されていてもよい。
【００４４】
このように形成されたダブルＴ形鋼４は柱１の側面部にフランジ４ｂを、Ｔ形鋼５はフランジ５ａを梁２の下面部にそれぞれ固定ボルト８で固定するか、あるいは柱１および梁２のコンクリート内にあらかじめ埋め込まれた埋め込みプレート( 図示せず) に溶接する等して取り付けられている。
【００４５】
なお、ダブルＴ形鋼４とＴ形鋼５は柱１と梁２に逆に取り付けられていてもよい。また、この場合のダブルＴ形鋼４とＴ形鋼５は図示するように梁２の下側に取り付けられていてもよく、また梁２の上側、あるいは梁２の下側と上側の両側に取り付けられていてもよい。さらに、梁２の一端側または両端側に取り付けられていてもよい。
【００４６】
このような構成において、建物に揺れが生じると、柱１と梁２との圧着接合面に離間変形が生じ、この離間変形が柱１と梁２にそれぞれ取り付けられたダブルＴ形鋼４とＴ形鋼５を介して粘弾性体７に拡大伝達され、粘弾性体７が粘性抵抗することで建物の振動エネルギーが吸収される。
【００４７】
発明の実施の形態２．
図２（ａ）〜（ｅ）は、この発明に係るＰＣ架構の振動減衰構造の他の例を示し、図において、上述した構成の柱１と梁２との接合部における柱１の側面部にＴ形ブラケット９が、梁２の下面部にＴ形ブラケット１０がそれぞれ剛部材として突設され、このＴ形ブラケット９と１０間にダンパーとして鋼製ダンパー１１が取り付けられている。
【００４８】
鋼製ダンパー１１は、例えば図２（ｄ）に図示するように、矩形板状の鋼板に蜂の巣状の開口をを設けたもので、中央でくびれたように形成された縦リブ１１ａが１つ１つが水平力を受けて塑性変形するダンパーになっている。
【００４９】
また、こうして形成された鋼製ダンパー１１は２枚重ね合わせられ、かつ下端側をＴ形ブラケット９のウェブ９ａに水平に突設された連結プレート１２に、上端側をＴ形ブラケット１０のウェブ１０ａにそれぞれ複数の固定ボルト１３でボルト止めすることにより取り付けられている。その際、連結プレート１２のウェブ９ａ側は、１本の連結ボルト１４によってウェブ９ａに連結されている。
【００５０】
したがって、Ｔ形ブラケット９と１０間には中央でくびれた形状の縦リブ１１ａからなる４個のダンパーが取り付けられていることになる。
また、連結プレート１２のウェブ９ａ側がブラケット９のウェブ９ａに１本の連結ボルト１４によって連結されていることで、鋼製ダンパー１１は柱１に対して回転自在になっている。
【００５１】
なお、鋼製ダンパー１１の設置枚数は、設計荷重に応じて増やしてもよい。また、Ｔ形ブラケット９あるいは１０は、図１に示すダブルＴ形ブラケット４、Ｔ形鋼５などと同様の方法によって柱１の側面部と梁２の下面部にそれぞれ突設されている。
【００５２】
なお、図２（ｅ）は鋼製ダンパー１１の他の例を示し、矩形板状の鋼板に台形状の孔を設けることにより、外力を受けて塑性変形する縦リブ１１ａが下端部でくびれたように形成されたている。
【００５３】
このような構成において、建物に揺れが生じると、柱１と梁２との圧着接合面に離間変形が生じ、この離間変形が柱１と梁２との接合部にそれぞれ取り付けられたＴ形ブラケット９と１０を介して鋼製ダンパー１１に伝達され、この鋼製ダンパー１１の縦リブ１１ａが塑性変形することにより振動エネルギーが吸収される。
【００５４】
発明の実施の形態３．
図３（ａ）〜（ｅ）は、この発明に係るＰＣ架構の振動減衰構造の他の例を示し、図において、柱１と梁２との接合部における柱１の側面部と梁２の下面部に、剛部材としてダブルＴ形ブラケット１５およびＴ形ブラケット１５ａがそれぞれ突設され、このダブルＴ形ブラケット１５，Ｔ形ブラケット１５ａ間にダンパーとしてオイルダンパー１６が取り付けられている。
【００５５】
オイルダンパー１６は、粘性体１６ａが封入された円筒状のシリンダー１６ｂとこのシリンダー１６ｂ内を往復運動するピストン１６ｃとこのピストン１６ｃからシリンダー１６ｂの一端側に突出するピストンロッド１６ｄとからなり、ピストン１６ｃには粘性体１６ａが通るオリフィス（小孔）が形成されている。
【００５６】
このように構成されたオイルダンパー１６は、シリンダー１６ｂを梁２側のＴ形ブラケット１５ａと一体化し、ピストンロッド１６ｄの先端を柱１側のダブルＴ形ブラケット１５にそれぞれ１本の連結ボルト１７で連結することにより取り付けられている。したがって、オイルダンパー１６は柱１に対して回転自在に取り付けられている。
【００５７】
このような構成において、建物に揺れが生じると、柱１と梁２との圧着接合面に離間変形が生じ、この離間変形が柱１と梁２との接合部にそれぞれ取り付けられたダブルＴ形ブラケット１５，Ｔ形ブラケット１５ａを介してオイルダンパー１６に伝達され、かつシリンダー１６ｂとシリンダー１６ｂ内のピストン１６ｃとの相対運動に変換される。その際、オリフィス（小孔）が形成されたピストン１６ｃが粘性体１６ａの流体抵抗を受けることで、振動エネルギーが吸収される。
【００５８】
発明の実施の形態４．
図４（ａ）〜（ｄ）は、この発明に係るＰＣ架構の振動減衰構造の他の例を示し、図において、柱１と梁２との接合部における柱１の側面部にインサート１８が埋設され、梁２の下面部にＴ形ブラケット１９が突設され、そしてこのインサート１８とＴ形ブラケット１９間に鋼棒ダンパー２０が取り付けられている。
【００５９】
鋼棒ダンパー２０は、低降伏点鋼または極低降伏点鋼などの極軟鋼から棒状に形成され、かつ中央付近に小径をなすくびれ部２０ａが、柱１側と梁２側の端部に雄ねじ部２０ｂと２０ｃがそれぞれ形成されている。
【００６０】
また、鋼棒ダンパー２０の柱１側が、雄ねじ部２０ｂをインサート１８に螺合することにり柱１の側面部に連結され、梁２側が雄ねじ部２０ｃに螺合された連結ナット２１とＴ形ブラケット１９に取り付けられた連結金具２２を介して梁２の下面部に連結されている。
【００６１】
このような構成において、建物に揺れが生じると、柱１と梁２との圧着接合面に離間変形が生じ、この離間変形が柱１と梁２との接合部にそれぞれ取り付けられたインサート１８とＴ形ブラケット１９および連結金具２２を介して鋼棒ダンパー２０に伝達される。
【００６２】
これにより鋼棒ダンパー２０は、中央付近の幾分小さくなったくびれ部２０ａに応力が集中し、このくびれ部２０ａから塑性変形することで振動エネルギーが吸収される。
【００６３】
なお、上記１〜４のいづれの例においても、ダンパーの取り付けレベルは、梁２の下端ないし上端からダンパーへの導入変形を適切にするように決められ、また柱１と梁２との接合がアンボンドＰＣ圧着の場合には、図１（ｂ），（ｃ）、図５（ａ）〜（ｃ）に図示するように、柱と梁との圧着接合部にダボ部材としてダボ筋２３が圧着接合部を貫通して配筋されているとともに、アンボンド区間長が適宜調節されている。
【００６４】
また、上記１〜４の例において、符号２４は柱１と梁２との隙間を埋める目地部材である。
【００６５】
【発明の効果】
この発明は以上説明したとおりであり、本願発明のＰＣ架構の振動減衰構造は、粘弾性体・鋼板・オイル・鋼棒などをダンパーとして柱と梁との圧着接合部に取り付け、この圧着接合部の離間変形を利用して振動エネルギーを吸収するものであるため、ＰＣ架構の変形履歴によるエネルギー吸収能力を著しく高めることができ、振動時の応答せん断力、応答変位などを減少させることができる。
【００６６】
また特に、ダンパーへの導入変形量は、梁と柱との接合部の離間変形に基づいており、これをボンドＰＣの場合には剛部材の突出長さを調節することで、またアンボンドＰＣの場合には、アンボンド区間長を調節することで、ダンピングの最適化を行うための、ダンパー導入変形量のコントロールが可能となる。
【００６７】
また、ダンパーは比較的小さくてもよく、このため建物の天井内などの内装仕上げ材の内側に設置することができるため、建築計画上の配置箇所の制限をほとんど受けず、仕上げ後の外観をダンパーのない建物と同じようにすることができる。
【００６８】
経済面ではコスト的にも比較的安価であり、建物の要求性能により最適な数を分散配置することが可能であるため、経済的な架構の設計が可能となる。
また、ボンド、アンボンドのいづれのＰＣ工法にても圧着架構を形成することが可能である。
【００６９】
また特に、アンボンドＰＣの場合において、圧着接合部を貫通するダボ部材が設置されていることで、ＰＣ鋼材の遅れ破壊による万一の破断に際しても、床を支える梁の脱落・回転などを防止することができるため、安全面においてもすぐれている。
【図面の簡単な説明】
【図１】（ａ）は、圧着接合部の離間変形を利用して振動エネルギーを吸収するようにしたＰＣ架構の模式図、（ｂ）は粘弾性体ダンパー使用時の柱梁接合部のア部拡大図、（ｃ）は（ｂ）のイ−イ線断面図、（ｄ）は（ｃ）のウ部拡大図、（ｅ）は（ｄ）ののエ−エ線断面図である。
【図２】（ａ）は鋼製ダンパー使用時の柱梁接合部の拡大図、（ｂ）は（ａ）のオ−オ線断面図、（ｃ）は（ｂ）のカ部拡大図、（ｄ），（ｅ）は（ａ）の一部拡大図である。
【図３】（ａ）はオイルダンパー使用時の柱梁接合部の拡大図、（ｂ）は（ａ）のク−ク線断面図、（ｃ）は（ａ）のケ部拡大図、（ｄ）は（ｃ）のコ−コ線断面図、（ｅ）はオイルダンパーの内部を示す一部破断側面図である。
【図４】（ａ）は鋼棒ダンパー使用時の柱梁接合部の拡大図、（ｂ）は（ａ）のサ−サ線断面図、（ｃ）は（ａ）のシ部拡大図、（ｄ）は（ｃ）のス−ス線断面図である。
【図５】（ａ）はダボ筋を梁断面内に設置した場合の立面図、（ｂ）は（ａ）の平面図、（ｃ）はダボ筋をスラブ断面内に設置した場合の立面図である。
【図６】（ａ），（ｂ）従来の離間変形を利用した振動減衰構造の模式図である。
【符号の説明】
１  柱
２  梁
３  ＰＣ鋼材
４  ダブルＴ形鋼
４ａ  ウェブ
４ｂ  フランジ
５  Ｔ形鋼
５ａ  ウェブ
５ｂ  フランジ
６  隙間
７  粘弾性体
８  固定ボルト
９  Ｔ形ブラケット
１０  Ｔ形ブラケット
１１  鋼製ダンパー
11ａ  縦リブ
１２  連結プレート
１３  固定ボルト
１４  連結ボルト
１５  ダブルＴ形ブラケット
15ａ  Ｔ形ブラケット
１６  オイルダンパー
16ａ  粘性体
16ｂ  シリンダー
16ｃ  ピストン
16ｄ  ピストンロッド
１７  連結ボルト
１８  インサート
１９  Ｔ形ブラケット
２０  鋼棒ダンパー
20ａ  くびれ部
20ｂ  雄ねじ部
20ｃ  雄ねじ部
２１  連結ナット
２２  連結金具
２３  ダボ筋
２４  目地部材
【図１】
0003775219.tif 000002
【図２】
0003775219.tif 000003
【図３】
0003775219.tif 000004
【図４】
0003775219.tif 000005
【図５】
0003775219.tif 000006
【図６】
0003775219.tif 000007